(57)【特許請求の範囲】
【請求項１】
下部に排出口を有する便鉢を具備した便器本体と、
前記排出口を前記便器本体の下方に設けた便槽に連通する排水路と、
この排水路を分岐した分岐排水路と、
洗浄ノズルを有し、前記便器本体に組み付けた局部洗浄装置とを備えており、
この局部洗浄装置を駆動して前記洗浄ノズルから噴出した局部洗浄水が設定水量以上になると、前記便鉢内に流出した局部洗浄水を前記排水路を介して前記便槽へ排水せずに前記分岐排水路へ流入させることを特徴とするトイレ装置。
【請求項２】
前記便鉢に洗浄水を供給する便器洗浄装置を備えており、
前記局部洗浄装置を駆動して前記洗浄ノズルから噴出した局部洗浄水が設定水量以上になると、前記便鉢内に流出した局部洗浄水を前記分岐排水路へ流入させるより前に前記便器洗浄装置を駆動して前記便鉢に設定水量の洗浄水を供給することを特徴とする請求項１記載のトイレ装置。
【請求項３】
前記排出口に連結して前記排水路を形成し、
この排水路を開閉する閉止具、及びこの閉止具が前記排水路を閉鎖した状態にロックするロック装置を有しており、前記閉止具の上流側で前記排水路を分岐して前記分岐排水路を形成した接続装置と、
前記局部洗浄装置を駆動して前記洗浄ノズルから噴出した局部洗浄水が設定水量以上になると、前記ロック装置を駆動して前記排水路を閉鎖した状態に前記閉止具をロックする制御装置とを備えていることを特徴とする請求項１記載のトイレ装置。
【請求項４】
前記便鉢に洗浄水を供給する便器洗浄装置と、
前記局部洗浄装置を駆動して前記洗浄ノズルから噴出した局部洗浄水が設定水量以上になると、前記ロック装置を駆動して前記排水路を閉鎖した状態に前記閉止具をロックする前に前記便器洗浄装置を駆動して前記便鉢に設定水量の洗浄水を供給する制御装置とを備えていることを特徴とする請求項３記載のトイレ装置。
【請求項５】
下部に排出口を有する便鉢を具備した便器本体と、
前記排出口を前記便器本体の下方に設けた便槽に連通する排水路と、
この排水路を分岐した分岐排水路と、
洗浄ノズル、及びこの洗浄ノズルを洗浄するノズル洗浄機構を有し、前記便器本体に組み付けた局部洗浄装置とを備えており、
前記ノズル洗浄機構が前記洗浄ノズルを洗浄している間、前記便鉢内に流出したノズル洗浄水を前記排水路を介して前記便槽へ排水せずに前記分岐排水路へ流入させることを特徴とするトイレ装置。
【請求項６】
前記排出口に連結して前記排水路を形成し、
この排水路を開閉する閉止具、及びこの閉止具が前記排水路を閉鎖した状態にロックするロック装置を有しており、前記閉止具の上流側で前記排水路を分岐して前記分岐排水路を形成した接続装置と、
前記ノズル洗浄機構が前記洗浄ノズルを洗浄している間、前記ロック装置を駆動して前記排水路を閉鎖した状態に前記閉止具をロックする制御装置とを備えていることを特徴とする請求項５記載のトイレ装置。
【請求項７】
前記局部洗浄装置を駆動している間、前記便鉢に洗浄水を供給する便器洗浄装置を駆動しない制御装置を備えていることを特徴とする請求項１、３、５又は６のいずれか１項記載のトイレ装置。
【発明の詳細な説明】
【技術分野】
【０００１】
本発明はトイレ装置に関する。
【背景技術】
【０００２】
特許文献１には従来のトイレ装置が開示されている。このトイレ装置は、下部に排出口を有する便鉢を具備した便器本体と、排出口を便器本体の下方に設けた便槽に連通する排水路と、排水路を分岐した分岐排水路と、便鉢に洗浄水を供給する便器洗浄装置と、便器本体の使用者を検知する検知装置とを備えている。
【０００３】
このトイレ装置は、検知装置が使用者を検知しなくなった後、先ず、便器洗浄装置が少量の洗浄水を便鉢に供給して、便鉢内に残っているトイレットペーパー等を便槽に流し落とす。その後、便器洗浄装置が多量の洗浄水を便鉢に供給して、便鉢を洗浄する。この際、便鉢に供給した洗浄水は、排水路を介して便槽へ排水されず、分岐排水路へ流入する。このため、このトイレ装置では大量の洗浄水が便槽へ排水されることを防止することができる。
【先行技術文献】
【特許文献】
【０００４】
【特許文献１】実用新案登録第３１１８８６２号公報
【発明の概要】
【発明が解決しようとする課題】
【０００５】
しかし、特許文献１のトイレ装置では、分岐排水路へ流入して便槽へ排水しない水は、検知装置が使用者を検知しなくなった後に便鉢を洗浄する洗浄水のみである。このため、この便器本体に局部洗浄装置を組み付けた場合、局部洗浄装置から吐水される局部洗浄水等は、排水路を介して便槽へ排水されてしまう。また、便器洗浄装置がその他に便鉢へ供給する洗浄水も排水路を介して便槽へ排水されてしまうことになる。
【０００６】
本発明は、上記従来の実情に鑑みてなされたものであって、便槽へ排水する水を少なくすることができるトイレ装置を提供することを解決すべき課題としている。
【課題を解決するための手段】
【０００７】
本発明のトイレ装置は、下部に排出口を有する便鉢を具備した便器本体と、
前記排出口を前記便器本体の下方に設けた便槽に連通する排水路と、
この排水路を分岐した分岐排水路と、
洗浄ノズルを有し、前記便器本体に組み付けた局部洗浄装置とを備えており、
この局部洗浄装置を駆動して前記洗浄ノズルから噴出した局部洗浄水が設定水量以上になると、前記便鉢内に流出した局部洗浄水を前記排水路を介して前記便槽へ排水せずに前記分岐排水路へ流入させることを特徴とする。
【０００８】
局部洗浄装置を駆動して局部洗浄を実行する際、洗浄初期は使用者の臀部に付着した排泄物を洗い落とすため、便鉢内に流出した局部洗浄水は汚濁度の高いものになる。このため、この局部洗浄水は排水路を介して便槽へ排水する。その後、局部洗浄装置が継続して駆動されると、便鉢内に落下して便鉢の排出口に流下した局部洗浄水は汚濁度が低いものになる。この局部洗浄水は排水路を介して便槽へ排水せずに分岐排水路へ流入させる。このように、このトイレ装置は便槽へ排水する局部洗浄水を少なくすることができる。
【０００９】
また、トイレ装置は、前記便鉢に洗浄水を供給する便器洗浄装置を備えており、
前記局部洗浄装置を駆動して前記洗浄ノズルから噴出した局部洗浄水が設定水量以上になると、前記便鉢内に流出した局部洗浄水を前記分岐排水路へ流入させるより前に前記便器洗浄装置を駆動して前記便鉢に設定水量の洗浄水を供給し得る。
【００１０】
この場合、トイレ装置は、便鉢内に流出した局部洗浄水を分岐排水路へ流入させるより前に便器洗浄装置を駆動して便鉢に設定水量の洗浄水を供給するため、便鉢内の汚濁度の高い局部洗浄水は完全に便槽内へ排水することができ、分岐排水路へ流入する局部洗浄水の汚濁度を確実に低くすることができる。
【００１１】
前記排出口に連結して前記排水路を形成し、
この排水路を開閉する閉止具、及びこの閉止具が前記排水路を閉鎖した状態にロックするロック装置を有しており、前記閉止具の上流側で前記排水路を分岐して前記分岐排水路を形成した接続装置と、
前記局部洗浄装置を駆動して前記洗浄ノズルから噴出した局部洗浄水が設定水量以上になると、前記ロック装置を駆動して前記排水路を閉鎖した状態に前記閉止具をロックする制御装置とを備え得る。
【００１２】
この場合、このトイレ装置は、局部洗浄装置が駆動され、洗浄ノズルから噴出した局部洗浄水が設定水量以上になると、閉止具が排水路を閉止した状態にロックするため、汚濁度の低い局部洗浄水を分岐排水路へ流入させることができる。また、便槽へ排水する局部洗浄水を少なくすることができる。
【００１３】
前記便鉢に洗浄水を供給する便器洗浄装置と、
前記局部洗浄装置を駆動して前記洗浄ノズルから噴出した局部洗浄水が設定水量以上になると、前記ロック装置を駆動して前記排水路を閉鎖した状態に前記閉止具をロックする前に前記便器洗浄装置を駆動して前記便鉢に設定水量の洗浄水を供給する制御装置とを備え得る。
【００１４】
この場合、トイレ装置は、ロック装置を駆動して排水路を閉鎖した状態に閉止具をロックする前に便器洗浄装置を駆動して便鉢に設定水量の洗浄水を供給するため、便鉢内の汚濁度の高い局部洗浄水は完全に便槽内へ排水することができ、分岐排水路へ流入する局部洗浄水の汚濁度を確実に低くすることができる。
【００１５】
本発明のトイレ装置は、下部に排出口を有する便鉢を具備した便器本体と、
前記排出口を前記便器本体の下方に設けた便槽に連通する排水路と、
この排水路を分岐した分岐排水路と、
洗浄ノズル、及びこの洗浄ノズルを洗浄するノズル洗浄機構を有し、前記便器本体に組み付けた局部洗浄装置とを備えており、
前記ノズル洗浄機構が前記洗浄ノズルを洗浄している間、前記便鉢内に流出したノズル洗浄水を前記排水路を介して前記便槽へ排水せずに前記分岐排水路へ流入させることを特徴とする。
【００１６】
ノズル洗浄機構によって洗浄ノズルを洗浄して便鉢の排出口に流下したノズル洗浄水は汚濁度が低いものである。このため、そのノズル洗浄水は排水路を介して便槽へ排水せずに分岐排水路へ流入させることにより、ノズル洗浄水が便槽へ排水されることを防止することができる。よって、このトイレ装置は、便槽へ排水する水を少なくすることができる。
【００１７】
前記排出口に連結して前記排水路を形成し、
この排水路を開閉する閉止具、及びこの閉止具が前記排水路を閉鎖した状態にロックするロック装置を有しており、前記閉止具の上流側で前記排水路を分岐して前記分岐排水路を形成した接続装置と、
前記ノズル洗浄機構が前記洗浄ノズルを洗浄している間、前記ロック装置を駆動して前記排水路を閉鎖した状態に前記閉止具をロックする制御装置とを備え得る。
【００１８】
この場合、ノズル洗浄機構が洗浄ノズルを洗浄している間、閉止具が排水路を閉止した状態にロックするため、汚濁度の低いノズル洗浄水は分岐排水路へ流入する。このため、便槽へ排水する水を少なくすることができる。
【００１９】
前記局部洗浄装置を駆動している間、前記便鉢に洗浄水を供給する便器洗浄装置を駆動しない制御装置を備え得る。この場合、制御装置の制御を単純化することができる。また、局部洗浄装置の駆動によって便鉢内に流入した局部洗浄水が便鉢の内面に付着した汚物等を洗い流し得る。この場合、便器洗浄装置を駆動して便鉢を洗浄することが不要になり得る。このため、無駄な洗浄水の使用を防止することができ、便槽へ排水する水を少なくすることができる。
【００２５】
前記便槽は汚物等を発酵分解する菌床を収納し得る。この場合、便槽に排出された汚物等を菌床内で発酵分解することができる。また、便槽に排出する水が少ないため、菌床が水分過多にならず、汚物等の発酵分解を良好に行うことができる。
【図面の簡単な説明】
【００２６】
【図１】実施例１及び２のトイレ装置を示す概略図である。
【図２】実施例１及び２のトイレ装置の便器本体等の主要部材を示す概略図である。
【図３】実施例１及び２のトイレ装置においてプレ洗浄の実行を示す概略図である。
【図４】実施例１及び２のトイレ装置において屎尿排出状態を示す概略図である。
【図５】実施例１及び２のトイレ装置において局部洗浄の実行を示す概略図である。
【図６】実施例１及び２のトイレ装置において便器洗浄の実行を示す概略図である。
【図７】実施例１及び２のトイレ装置においてノズル洗浄の実行を示す概略図である。
【図８】実施例１のトイレ装置の「プレ洗浄」、「屎尿排出」、「局部洗浄」及び「便器洗浄」動作を示すフローチャートである。
【図９】（Ａ）実施例１のトイレ装置の「ノズル洗浄」動作を示すフローチャートである。（Ｂ）実施例１のトイレ装置の「清掃洗浄」動作を示すフローチャートである。
【図１０】実施例２のトイレ装置の「プレ洗浄」、「屎尿排出」、「局部洗浄」及び「便器洗浄」動作を示すフローチャートである。
【発明を実施するための形態】
【００２７】
本発明のトイレ装置を具体化した実施例１及び２について、図面を参照しつつ説明する。
【００２８】
＜実施例１＞
実施例１のトイレ装置は、図１及び図２に示すように、便器本体１０、排水路２０、分岐排水路３０、便器洗浄装置４０、局部洗浄装置５０、検知装置６０、制御装置７０、及び接続装置８０を備えている。
【００２９】
便器本体１０は下部に排出口１１Ａを有する便鉢１１を具備している。便鉢１１はリム吐水管１３から吐水する洗浄水が便鉢１１の上部内周に沿って流れるように便鉢１１の上部内周に形成されたリム通水路１２を有している。リム通水路１２を流れる洗浄水は、徐々に便鉢１１の内面に沿って流れ落ちるため、便鉢１１の内面の全体を洗浄水によって洗浄することができる。
【００３０】
便鉢１１は排出口１１Ａに接続装置８０を連結している。接続装置８０は排出口１１Ａを後述する便槽９０に連通する排水路２０を形成している。接続装置８０は、上端開口部を排出口１１Ａの外周面に接続し、上端開口部から連続し、下端が開口したすり鉢形状の流入部８１を有している。
【００３１】
接続装置８０は流入部８１の下端開口よりも下方に円筒状の中間管部８２を有している。中間管部８２は、上端部が内周面から外周面に向けて斜め上方に傾斜した上傾斜面８２Ａを有し、上端開口縁８２Ｂが流入部８１の下端開口縁８１Ａより外側の上方に位置している。中間管部８２の上傾斜面８２Ａと流入部８１の下端部の外周面との間に洗浄水が通過する隙間Ｘを形成している。
【００３２】
接続装置８０は流入部８１の外側面の上部と中間管部８２の外側面とを連結する連結部８３を有している。連結部８３は外側面が円筒状である。接続装置８０は連結部８３の外側面の一部から分岐排水路３０を外側に延ばして形成している。分岐排水路３０は後述する閉止具８５の上流側で排水路２０を隙間Ｘ及び連結部８３の内部空間を介して分岐したものである。
【００３３】
接続装置８０は、中間管部８２の外側面に連結し、下端が開放した排出部８４を有している。排出部８４は下方に向けて徐々に径が細くなった略筒形状である。排出部８４の下端開口部は便器本体１０を設置した床面Ｆに設けられた排出口９２に連結している。排出口９２は床面Ｆの下方に設けられた便槽９０に連通している。便槽９０は便器本体１０の下方に設けられている。便槽９０は汚物を発酵分解する菌床９１を収納している。菌床９１は木材チップやおが屑等の培養地に好気性微生物を培養させたものである。
【００３４】
排出部８４は上端部の内面に閉止具８５を一端に支持する支持部材８６を回動支持する回動軸部８６Ａを有している。閉止具８５は、円盤状の中央部とその外周縁部に連続して斜め上方外側に向けて傾斜した縁部とを有する受け皿状に形成されている。回動軸部８６Ａを挟んで閉止具８５の反端側に位置する支持部材８６の他端には鉄製の錘部材８７が連結されている。錘部材８７は閉止具８５に加わる荷重が設定した重さ以上にならないと閉止具８５側が下降しない重さに設定されている。
【００３５】
このため、通常（便器本体１０が使用されていない待機状態等）、閉止具８５は回動軸部８６Ａを中心にして上昇し、中間管部８２の下端開口縁８２Ｃに当接しており、排水路２０を閉鎖している。一方、閉止具８５は、その上面に設定した重さ以上の屎尿や洗浄水等を載置すると、回動軸部８６Ａを中心にして下降し、排水路２０を開放する。閉止具８５が回動軸部８６Ａを中心に下降すると閉止具８５の上面は垂直に近い傾斜状態になるため、閉止具８５の上面に載置した屎尿や洗浄水等は落下し、便槽９０へ排出される。閉止具８５の上面に載置した屎尿や洗浄水等が落下すると、錘部材８７によって閉止具８５が回動軸部８６Ａを中心にして上昇するため、閉止具８５が中間管部８２の下端開口縁８２Ｃに当接して排水路２０を閉鎖する状態に自動的に復帰する。
【００３６】
排出部８４は、閉止具８５が中間管部８２の下端開口縁８２Ｃに当接して排水路２０を閉鎖している状態において錘部材８７が当接する面の外側に電磁石８８を取り付けている。この電磁石８８に通電すると、その磁力によって錘部材８７を引き寄せるため、閉止具８５が中間管部８２の下端開口縁８２Ｃに当接して排水路２０を閉鎖する状態にロックすることができる。つまり、この電磁石８８が排水路２０を閉鎖した状態に閉止具８５をロックするロック装置である。電磁石８８への通電及び非通電の切り替えは、後述する制御装置７０によって制御される。
【００３７】
便器洗浄装置４０は、分岐排水路３０の下流側に連通した貯水槽４１と、この貯水槽４１に貯留した洗浄水を便鉢１１に供給する給水装置４２とを備えている。貯水槽４１はメッシュ状のフィルター部材４３が組み込まれている。貯水槽４１内に引き込まれた分岐排水路３０はフィルター部材４３の上方に吐水口を有している。このため、分岐排水路３０を流下して吐水口から吐水された洗浄水は、フィルター部材４３によって洗浄水に混入したある程度の大きさの固体を取り除き、貯水槽４１内に貯留される。貯水槽４１は塩素滅菌用の塩素剤供給筒４４を設けている。また、貯水槽４１は、水道管Ｓに接続した給水路１に連通したボールタップ４５を有しており、貯水槽４１内の水位が低下すると給水路１を介して水道水を貯水槽４１内に供給することができる。
【００３８】
給水装置４２は、貯水槽４１内の下部に給水口を設けた給水管４６と、給水管４６の途中に設けられたポンプＰとを有している。給水管４６は下流端部をリム吐水管１３の上流端部に接続している。給水装置４２は、ポンプＰを駆動することによって、貯水槽４１内の洗浄水を給水管４６、及びリム吐水管１３を介して便鉢１１に供給する。ポンプＰの駆動は、後述する制御装置７０によって制御される。
【００３９】
局部洗浄装置５０は、洗浄ノズル５１と、洗浄ノズル５１を収納するシリンダー部材５２と、洗浄ノズル５１の上流側に連通した温水タンク５３とを有している。洗浄ノズル５１は、図示しない電磁式モーターによって、シリンダー部材５２内に収納された収納位置と、シリンダー部材５２の前端から前方へ突出した前進位置との間を往復移動する。洗浄ノズル５１は前進位置で先端部に設けられた洗浄孔から局部洗浄水を噴出させる。温水タンク５３は、開閉弁Ｖが設けられた給水路１が連通しており、給水路１から流入した洗浄水を設定温度で貯留している。温水タンク５３内の洗浄水の水温、電磁式モーターの駆動、及び開閉弁Ｖの開閉は、後述する制御装置７０によって制御される。
【００４０】
局部洗浄装置５０は、洗浄ノズル５１を洗浄するノズル洗浄機構を有している。ノズル洗浄機構は、温水タンク５３から洗浄ノズル５１に連通した連通路を切替弁を介して分岐した分岐路を有しており、分岐路の下流端の吐水口から収納位置に後退した洗浄ノズル５１の先端部に向けて洗浄水を吐水し、洗浄ノズル５１の先端部を洗浄するものである。切替弁の切り替えは、後述する制御装置７０によって制御される。
【００４１】
局部洗浄装置５０は、便器本体１０の上面後部に取り付けた便座ボックス２内に収納され、便器本体１０に組み付けられている。便座ボックス２は、前端部に便蓋３及び便座４を回動自在に軸支する軸支部を有している。便蓋３及び便座４は、図示しない電磁式モーターによって起立状態と倒伏状態との間を回動する。この電磁式モーターの駆動は後述する制御装置７０によって制御される。
【００４２】
便座４は着座検知装置が組み込まれている。着座検知装置は、静電容量式センサによって構成されており、便座４への使用者の着座を検知することができる。着座検知装置は便座４への使用者の着座の有無を示す信号を後述する制御装置に送信する。
【００４３】
検知装置６０は便座ボックス２の上面の前端部に取り付けられている。検知装置６０は、赤外線式センサによって構成されており、便器本体１０の前方の設定範囲内の使用者を検知することができる。検知装置６０は使用者の有無を示す信号を後述する制御装置に送信する。
【００４４】
制御装置７０は便座ボックス２内に収納されている。制御装置７０はリモートコントローラー７１から送信される操作信号を受信する受信部７０Ａを有している。リモートコントローラー７１は便器本体１０が設置されたトイレルームの壁面Ｗに取り付けられている。リモートコントローラー７１は、便器洗浄ボタン７２、局部洗浄ボタン７３、停止ボタン７４、ノズル洗浄ボタン７５、及び清掃ボタン７６等の各種操作ボタンを有している。リモートコントローラー７１は各種操作ボタンの操作に応じた操作信号を制御装置７０の受信部７０Ａに送信する送信部７１Ａを有している。リモートコントローラー７１は、前面の一部を開閉する蓋部材７１Ｂを有している。ノズル洗浄ボタン７５及び清掃ボタン７６等の使用頻度の少ない操作ボタンは、この蓋部材７１Ｂが開いた際に露出する操作面に設けられている。
【００４５】
このように構成されたトイレ装置の「プレ洗浄」、「屎尿排出」、「局部洗浄」及び「便器洗浄」動作について、図８に基づいて説明する。
【００４６】
［プレ洗浄］
検知装置６０はトイレルームに入室した使用者が便器本体１０の前方の設定範囲内にいることを検知すると検知信号を制御装置７０に送信する（ステップＳ１）。すると、制御装置７０は電磁式モーターを駆動して便蓋３を起立状態に回動させるとともに、次に示すプレ洗浄を実行させる。
【００４７】
プレ洗浄は、先ず、電磁石８８へ通電してロック装置を駆動し、排水路２０を閉鎖した状態に閉止具８５をロックする（ステップＳ２）。その後、設定時間Ｔ１（例えば、０．３秒）の間、便器洗浄装置４０のポンプＰを駆動する（ステップＳ３）。さらに、ポンプＰの駆動を停止した後に、電磁石８８への通電を終了して閉止具８５のロックを解除する（ステップＳ４）。
【００４８】
プレ洗浄の実行によって、便器洗浄装置４０は貯水槽４１内の洗浄水を給水管４６、及びリム吐水管１３を介して便鉢１１のリム通水路１２に供給する。リム通水路１２を流れる洗浄水は、徐々に便鉢１１の内面に沿って流れ落ちるため、便鉢１１の内面の全体を洗浄水によって濡らすことができる。このため、便鉢１１の内面に汚物等を付着し難くすることができる。
【００４９】
このように、プレ洗浄の実行は、便鉢１１の内面、及び閉止具８５の上面に汚物等が付着し難くすることを目的としているため、プレ洗浄の実行によって便鉢１１に供給される洗浄水の水量は、後述する便器洗浄の際に便鉢１１に供給される洗浄水の水量よりも少ない。また、プレ洗浄の実行によって便鉢１１に供給され、便鉢１１の排出口１１Ａに流下した洗浄水は汚濁度が低いものである。
【００５０】
便器洗浄装置４０のポンプＰを駆動中は電磁石８８の磁力によって錘部材８７は引き寄せられており、閉止具８５が中間管部８２の下端開口縁８２Ｃに当接して排水路２０を閉鎖した状態にロックしている。このため、プレ洗浄の実行によって便鉢１１に供給された洗浄水は、便槽９０に排出されずに中間管部８２の上端開口縁８２Ｂから連結部８３内に溢流し、分岐排水路３０に流入する。よって、このトイレ装置は便槽９０へ排水する水を少なくすることができる。このため、便槽９０内に収納された菌床９１が水分過多になることを防止することができ、汚物等の発酵分解を良好に行うことができる。
【００５１】
また、このトイレ装置は分岐排水路３０に流入した汚濁度の低い洗浄水を貯水槽４１に貯留することができる。貯水槽４１に貯留した洗浄水は塩素滅菌され、給水装置４２によって便鉢１１に供給して便器洗浄に利用することができる。このように、このトイレ装置は、プレ洗浄の実行によって便鉢１１に供給された洗浄水を便器洗浄に循環して再利用することができる。
【００５２】
［屎尿排出］
プレ洗浄の終了後、着座検知装置は使用者が便座４へ着座したことを検知すると検知信号を制御装置７０に送信する（ステップＳ５）。プレ洗浄の終了後は、閉止具８５のロックが解除されているため、閉止具８５は、その上面に設定した重さ以上の屎尿や洗浄水等が載置されると、回動軸部８６Ａを中心にして下降し、排水路２０を開放する状態になっている。
【００５３】
このため、図４に示すように、使用者Ｈが屎尿Ｐを排泄し、設定した重さ以上の屎尿Ｐが閉止具８５の上面に載置されると、閉止具８５は、回動軸部８６Ａを中心にして下降し、排水路２０を開放する。閉止具８５が回動軸部８６Ａを中心に下降すると閉止具８５の上面は垂直に近い傾斜状態になるため、閉止具８５の上面に載置した屎尿Ｐ等は落下し、便槽９０へ排出される。閉止具８５の上面に載置した屎尿Ｐ等が落下すると、錘部材８７によって閉止具８５が回動軸部８６Ａを中心にして上昇するため、閉止具８５が中間管部８２の下端開口縁８２Ｃに当接して排水路２０を閉鎖する状態に自動的に復帰する。このように、使用者Ｈの屎尿Ｐの排泄に応じて、閉止具８５が排水路２０の開閉を繰り返すことになる。便槽９０に排出された汚物等は、菌床９１によって発酵分解される。
【００５４】
［局部洗浄］
使用者がリモートコントローラー７１の局部洗浄ボタン７３を押すと、送信部７１Ａから制御装置７０の受信部７０Ａに局部洗浄信号が送信される（ステップＳ６）。制御装置７０は、局部洗浄信号を受信部７０Ａが受信すると、電磁式モーターを駆動して洗浄ノズル５１を前進位置に移動するともに開閉弁Ｖを開弁して、局部洗浄装置５０を駆動する（ステップＳ７）。
【００５５】
その後、洗浄ノズル５１から噴出する局部洗浄水の水量を検知し（ステップＳ８）、その水量が設定水量以上になると、制御装置７０は電磁石８８へ通電してロック装置を駆動し、排水路２０を閉鎖した状態に閉止具８５をロックする（ステップＳ９）。
【００５６】
この際、洗浄ノズル５１から噴出する局部洗浄水の水量は、洗浄ノズル５１から噴出する局部洗浄水の流量に応じて噴出時間により換算するものであり、制御装置７０は開閉弁Ｖの開弁時間を制御している。つまり、制御装置７０は、開閉弁Ｖを開弁した後、設定時間を経過すると、電磁石８８へ通電する。
【００５７】
開閉弁Ｖが開弁されることによって、図５に示すように、給水路１から供給された洗浄水が温水タンク５３を経由して前進位置に移動した洗浄ノズル５１の先端部に設けられた洗浄孔から噴出し、局部洗浄が実行される。開閉弁Ｖを開弁した後、設定時間が経過すると（局部洗浄を実行して洗浄ノズル５１から噴出した局部洗浄水が設定水量以上になると）、電磁石８８へ通電するため、電磁石８８の磁力によって錘部材８７は引き寄せられ、閉止具８５が中間管部８２の下端開口縁８２Ｃに当接して排水路２０を閉鎖した状態にロックする。
【００５８】
局部洗浄を実行する際、洗浄初期は使用者の臀部に付着した排泄物を洗い落とすため、便鉢１１内に流出した局部洗浄水は汚濁度の高いものになる。この汚濁度の高い局部洗浄水は、閉止具８５が排水路２０を閉鎖した状態にロックされるまで（開閉弁Ｖが開弁してから設定時間が経過するまで）に閉止具８５が排水路２０を必ず開放する水量（設定水量）の局部洗浄水が洗浄ノズル５１から噴出するため、便槽９０へ排出される。
【００５９】
局部洗浄装置５０を継続して駆動し、開閉弁Ｖが開弁してから設定時間を経過した頃には、便鉢１１内に落下して便鉢１１の排出口１１Ａに流下した局部洗浄水は汚濁度の低いものになっている。この時には、制御装置７０が電磁石８８を通電状態にしているため、閉止具８５が排水路２０を閉鎖した状態にロックしている。このため、汚濁度の低い局部洗浄水は、便槽９０に排出されずに中間管部８２の上端開口縁８２Ｂから連結部８３内に溢流し、分岐排水路３０に流入する。このため、このトイレ装置は、便槽９０へ排水する水を少なくすることができる。よって、便槽９０内に収納された菌床９１が水分過多になることを防止することができ、汚物等の発酵分解を良好に行うことができる。
【００６０】
また、分岐排水路３０に流入した汚濁度の低い局部洗浄水を貯水槽４１に貯留する。貯水槽４１に貯留した局部洗浄水は塩素滅菌され、給水装置４２によって便鉢１１に供給して便器洗浄に利用することができる。このように、このトイレ装置は、局部洗浄の実行によって洗浄ノズル５１から噴出した局部洗浄水の一部を便器洗浄に循環して再利用することができる。
【００６１】
局部洗浄装置５０の駆動中に使用者がリモートコントローラー７１の停止ボタン７４を押すと、送信部７１Ａから制御装置７０の受信部７０Ａに停止信号が送信される（ステップＳ１０、Ｓ１１）。制御装置７０は、停止信号を受信部７０Ａが受信すると、電磁式モーターを駆動して洗浄ノズル５１を収納位置に移動するとともに開閉弁Ｖを閉弁して、局部洗浄装置５０の駆動を停止する（ステップＳ１２、Ｓ１３）。これによって、局部洗浄が終了する。また、電磁石８８へ通電している場合には、制御装置７０は電磁石８８への通電を終了する（ステップＳ１４)。
【００６２】
使用者がリモートコントローラー７１の停止ボタン７４を押した後に、さらに局部洗浄ボタン７３を押すことによって局部洗浄装置５０が繰り返し駆動される場合、制御装置７０は、停止ボタン７４が押される度に開閉弁Ｖの開弁時間をリセットし、開閉弁Ｖの直近の開弁からの開弁時間を計測し、その時間が設定時間を経過すると電磁石８８へ通電する。これは、使用者がリモートコントローラー７１の停止ボタン７４を押した後であって局部洗浄ボタン７３を押すまでの間に屎尿を排泄する可能性があるためである。
【００６３】
［便器洗浄］
使用者がリモートコントローラー７１の便器洗浄ボタン７２を押すと、送信部７１Ａから制御装置７０の受信部７０Ａに便器洗浄信号が送信される（ステップＳ１５）。制御装置７０は、受信部７０Ａが便器洗浄信号を受信すると、次に示す便器洗浄を実行させる。
【００６４】
便器洗浄は、先ず、設定時間Ｔ２（例えば、０．５秒）の間、便器洗浄装置４０のポンプＰを駆動して、第１便器洗浄を実行する（ステップＳ１６）。次に、電磁石８８へ通電してロック装置を駆動し、排水路２０を閉鎖した状態に閉止具８５をロックして（ステップＳ１７）、第２便器洗浄を開始する。そして、設定時間Ｔ３（例えば、３．５秒）の間、便器洗浄装置４０のポンプＰを駆動する（ステップＳ１８）。さらに、ポンプＰの駆動を停止した後に、電磁石８８への通電を終了して閉止具８５のロックを解除して（ステップＳ１９）、第２便器洗浄を終了する。
【００６５】
このようにして、貯水槽４１内の洗浄水を給水管４６、及びリム吐水管１３を介して便鉢１１のリム通水路１２に供給する便器洗浄が実行される。第１便器洗浄の際には、電磁石８８に通電していないため、閉止具８５は、その上面に設定した重さ以上の屎尿Ｐや洗浄水等が載置されると、回動軸部８６Ａを中心にして下降して排水路２０を開放する状態にある。このため、第１便器洗浄において供給した洗浄水によって、便鉢１１の内面に付着した汚物やトイレットペーパー、及び閉止具８５の上面に残留した汚物やトイレットペーパーを便槽９０へ排出することができる。
【００６６】
その後の第２便器洗浄の際に便鉢１１に供給され、便鉢１１の排出口１１Ａに流下した洗浄水は、汚濁度が低いものになっている。また、電磁石８８に通電しているため、電磁石８８の磁力によって錘部材８７は引き寄せられており、閉止具８５が中間管部８２の下端開口縁８２Ｃに当接して排水路２０を閉鎖した状態にロックしている。このため、便鉢１１に供給した洗浄水は、便槽９０に排出されずに中間管部８２の上端開口縁８２Ｂから連結部８３内に溢流し、分岐排水路３０に流入する。このため、このトイレ装置は、便槽９０へ排水する水を少なくすることができる。よって、便槽９０内に収納された菌床９１が水分過多になることを防止することができ、汚物等の発酵分解を良好に行うことができる。
【００６７】
また、分岐排水路３０に流入した汚濁度の低い洗浄水を貯水槽４１に貯留する。貯水槽４１に貯留した洗浄水は塩素滅菌され、給水装置４２によって便鉢１１に供給して便器洗浄に利用することができる。このように、このトイレ装置は、便器洗浄で便鉢１１に供給した洗浄水の一部を便器洗浄に循環して再利用することができる。
【００６８】
第２便器洗浄を終了によって、便器洗浄が終了した後、使用者が便器本体１０の前方の設定範囲内にいなくなったことを検知すると検知信号を制御装置７０に送信する（ステップＳ２０）。これによって、トイレ装置は待機状態に復帰する。
【００６９】
このトイレ装置は、局部洗浄装置５０の駆動中に使用者がリモートコントローラー７１の便器洗浄ボタン７２を押すと、送信部７１Ａから制御装置７０の受信部７０Ａに便器洗浄信号が送信される。この際、制御装置７０は、局部洗浄装置５０が駆動中であった場合には、便器洗浄信号を受信部７０Ａが受信しても便器洗浄装置４０のポンプＰを駆動しない。このため、このトイレ装置は局部洗浄中に便器洗浄を実行しない。
【００７０】
このように、このトイレ装置は、制御装置７０の制御を単純化することができる。また、局部洗浄装置５０の駆動によって便鉢１１内に流入した局部洗浄水が便鉢１１の内面に付着した汚物等を洗い流すことがある。この場合、便器洗浄装置４０を駆動して便鉢１１を洗浄することが不要になるため、無駄な洗浄水の使用を防止することができ、便槽９０へ排水する水を少なくすることができる。
【００７１】
次に、このトイレ装置の「ノズル洗浄」動作について図９（Ａ）に基づいて説明する。
【００７２】
［ノズル洗浄］
使用者がリモートコントローラー７１のノズル洗浄ボタン７５を押すと、送信部７１Ａから制御装置７０の受信部７０Ａにノズル洗浄信号が送信される（ステップＳ３１）。制御装置７０は、ノズル洗浄信号を受信部７０Ａが受信すると、電磁石８８へ通電してロック装置を駆動し、排水路２０を閉鎖した状態に閉止具８５をロックする（ステップＳ３２）。そして、制御装置７０は、設定時間の間、分岐水路へ洗浄水が流入するように切替弁を切り替え、開閉弁Ｖを開弁する（ステップＳ３３）。これによって、図７に示すように、給水路１から供給された洗浄水が温水タンク５３、切替弁、及び分岐水路を介して、収納位置に後退した洗浄ノズル５１の先端部に向けて洗浄水を吐水するノズル洗浄が実行される。制御装置７０は、設定時間が経過してノズル洗浄が終了した後に、電磁石８８への通電を終了して閉止具８５のロックを解除する（ステップＳ３４）。
【００７３】
ノズル洗浄の実行によって洗浄ノズル５１を洗浄して便鉢１１の排出口１１Ａに流下したノズル洗浄水は汚濁度が低いものである。また、ノズル洗浄を実行中は電磁石８８の磁力によって錘部材８７は引き寄せられており、閉止具８５が中間管部８２の下端開口縁８２Ｃに当接して排水路２０を閉鎖した状態にロックしている。
【００７４】
このため、汚濁度の低いノズル洗浄水は、便槽９０に排出されずに中間管部８２の上端開口縁８２Ｂから連結部８３内に溢流し、分岐排水路３０に流入する。よって、このトイレ装置は便槽９０へ排水する水を少なくすることができる。このため、便槽９０内に収納された菌床９１が水分過多になることを防止することができ、汚物等の発酵分解を良好に行うことができる。
【００７５】
また、分岐排水路３０に流入した汚濁度の低いノズル洗浄水を貯水槽４１に貯留する。貯水槽４１に貯留したノズル洗浄水は塩素滅菌され、給水装置４２によって便鉢１１に供給して便器洗浄に利用することができる。このように、このトイレ装置は、ノズル洗浄水を便器洗浄に循環して再利用することができる。
【００７６】
次に、このトイレ装置の「清掃洗浄」動作について図９（Ｂ）に基づいて説明する。
【００７７】
［清掃洗浄］
使用者がリモートコントローラー７１の清掃ボタン７６を押すと、送信部７１Ａから制御装置７０の受信部７０Ａに清掃洗浄信号が送信される（ステップＳ４１）。制御装置７０は、清掃洗浄信号を受信部７０Ａが受信すると、電磁石８８へ通電してロック装置を駆動し、排水路２０を閉鎖した状態に閉止具８５をロックする（ステップＳ４２）。そして、制御装置７０は、設定時間の間、便器洗浄装置４０のポンプＰを駆動する（ステップＳ４３）。これによって、貯水槽４１内の洗浄水を給水管４６、及びリム吐水管１３を介して便鉢１１のリム通水路１２に供給する清掃洗浄が実行される。制御装置７０は、設定時間が経過して清掃洗浄が終了した後に、電磁石８８への通電を終了して閉止具８５のロックを解除する（ステップＳ４４）。
【００７８】
清掃洗浄の実行によって便鉢１１に供給し、便鉢１１の排出口１１Ａに流下した洗浄水は汚濁度が低いものである。また、清掃洗浄を実行中は電磁石８８の磁力によって錘部材８７は引き寄せられており、閉止具８５が中間管部８２の下端開口縁８２Ｃに当接して排水路２０を閉鎖した状態にロックしている。
【００７９】
このため、汚濁度の低い洗浄水は、便槽９０に排出されずに中間管部８２の上端開口縁８２Ｂから連結部８３内に溢流し、分岐排水路３０に流入する。よって、このトイレ装置は便槽９０へ排水する水を少なくすることができる。また、このトイレ装置は、清掃洗浄時に使用される洗浄剤が混入した洗浄水も便槽９０へ排水されることを防止することができる。このため、便槽９０内に収納された菌床９１が水分過多になることを防止することができ、また、好気性微生物が洗浄剤によって死滅することを防止することができるため、汚物等の発酵分解を良好に行うことができる。
【００８０】
また、分岐排水路３０に流入した汚濁度の低いノズル洗浄水を貯水槽４１に貯留する。貯水槽４１に貯留したノズル洗浄水は塩素滅菌され、給水装置４２によって便鉢１１に供給して便器洗浄に利用することができる。このように、このトイレ装置は、清掃洗浄時に便鉢１１に供給した洗浄水を便器洗浄に循環して再利用することができる。
【００８１】
＜実施例２＞
実施例２のトイレ装置は、図１０に示すように、「局部洗浄」動作において、局部洗浄装置５０を駆動して洗浄ノズル５１から噴出した局部洗浄水が設定水量以上になると、便鉢１１内に流出した局部洗浄水を分岐排水路３０へ流入させるより前に便器洗浄装置４０を駆動して便鉢１１に設定水量の洗浄水を供給する点（Ｓ２１）が、実施例１と相違する。他の構成は実施例１と同様であり、同一の構成は同一の符号を付し詳細な説明を省略する。
【００８２】
このトイレ装置は、「局部洗浄」動作において、使用者がリモートコントローラー７１の局部洗浄ボタン７３を押して（ステップＳ６)、局部洗浄装置５０が駆動し（ステップＳ７）、洗浄ノズル５１から噴出する局部洗浄水の水量が設定水量以上になると、設定時間Ｔ４（例えば、０．４秒）の間、便器洗浄装置４０のポンプＰを駆動して、設定水量の洗浄水を便鉢１１に供給する（ステップＳ２１）。その後、制御装置７０は電磁石８８へ通電してロック装置を駆動し、排水路２０を閉鎖した状態に閉止具８５をロックする（ステップＳ９）。
【００８３】
このように、このトイレ装置は、「局部洗浄」動作において、ロック装置を駆動して排水路２０を閉鎖した状態に閉止具８５をロックし、便鉢内に流出した局部洗浄水を分岐排水路へ流入させるより前に便器洗浄装置４０のポンプＰを駆動して便鉢１１に設定水量の洗浄水を供給するため、便鉢内の屎尿や汚濁度の高い洗浄水を完全に便槽内へ排水することができ、分岐排水路へ流入する局部洗浄水の汚濁度を確実に低くすることができる。
【００８４】
本発明は上記記述及び図面によって説明した実施例に限定されるものではなく、例えば次のような実施例も本発明の技術的範囲に含まれる。
（１）実施例１及び２では、分岐排水路は下流端を貯水槽に連通して、貯水槽に貯留した洗浄水を便器洗浄に循環再利用したが、分岐排水路の下流端をトイレ装置以外の排水を処理する排水処理装置に連通して排水してもよい。この場合、便器洗浄に利用する洗浄水は水道管に連通した給水路から供給してもよい。
（２）実施例１及び２では、便槽に菌床を収納したが、菌床を収納しない、汲み取り式の便槽であってもよい。この場合でも、このトイレ装置は便槽へ排水する水を少なくすることができるため、有効である。
（３）実施例１及び２では、閉止具によって排水路を閉鎖状態にロックすることによって便槽へ排水せずに分岐排水路へ洗浄水を流入させたが、洗浄水を便槽へ排水せずに分岐排水路へ流入させることができるものであれば他の構成のものであってもよい。
（４）実施例１及び２では便器本体の前方にいる使用者を検知装置が検知するとプレ洗浄を実行するが、使用者が便座に着座したことを着座検知装置が検知するとプレ洗浄を実行するものであってもよい。
（５）実施例１及び２ではプレ洗浄を実行することができる便器洗浄装置であったが、プレ洗浄機能を有さない便器洗浄装置であってもよい。
（６）実施例１及び２ではノズル洗浄を実行することができる局部洗浄装置であったが、ノズル洗浄機能を有さない局部洗浄装置であってもよい。
（７）実施例１及び２では、清掃洗浄を実行することができる便器洗浄装置であったが、清掃洗浄機能を有さない便器洗浄装置であってもよい。
【符号の説明】
【００８５】
１０…便器本体
１１…便鉢
１１Ａ…排出口
２０…排水路
３０…分岐排水路
４０…便器洗浄装置
４１…貯水槽
４２…給水装置
５０…局部洗浄装置
５１…洗浄ノズル
６０…検知装置
７０…制御装置
８０…接続装置
８５…閉止具
８８…電磁石（ロック装置）
９０…便槽
【図１】
0005843349.tif 000002
【図２】
0005843349.tif 000003
【図３】
0005843349.tif 000004
【図４】
0005843349.tif 000005
【図５】
0005843349.tif 000006
【図６】
0005843349.tif 000007
【図７】
0005843349.tif 000008
【図８】
0005843349.tif 000009
【図９】
0005843349.tif 000010
【図１０】
0005843349.tif 000011